(57)【特許請求の範囲】
【請求項１】
横力／押し抜きせん断補強（Ｂ）を備えた、点支持されたコンクリート天井（ＢＤ）であって、
当該点支持されたコンクリート天井には少なくとも１つのラチス梁（１）が組み込まれており、
前記ラチス梁（１）が、前記コンクリート天井（ＢＤ）を支持する鉛直支持体（Ｔ）の鉛直軸線（Ａ）に向かって長手方向に延在し、
前記ラチス梁（１）が、２つの離間した下弦材（Ｕ）と、少なくとも１つの連続した上弦材（Ｏ）または自由な中間空間（Ｚ）を挟んで前後に配設された定着要素（１０）のいずれかと、いずれの場合にも、２つの連続する斜め支柱（Ｓ１、Ｓ２）間に上部屈曲部分および下部屈曲部分（１１、１２）を備えた少なくとも１つの蛇行する斜め支柱部（Ｄ）とを備え、
前記屈曲部分が固定点（ＳＯ、ＳＵ）において前記下弦材および上弦材（Ｏ、Ｕ）にまたは前記下弦材（Ｕ）および前記定着要素（１０）に固定される、点支持されたコンクリート天井において、
前記ラチス梁（１）における各蛇行する斜め支柱部（Ｄ）の前記斜め支柱（Ｓ１、Ｓ２）は同じ方向に上向きにかつ前記支持体（Ｔ）に向かって傾斜し、かつ前記支持体（Ｔ）に向かって延在する前記ラチス梁（１）の端部領域において、前記支持体に最も近くかつ急な角度（α１）で傾斜する前記斜め支柱（Ｓ１）の前記固定点（ＳＯ、ＳＵ）の領域に形成された上部コンクリート定着域（ＶＯ）および下部コンクリート定着域（ＶＵ）のうちの前記上部コンクリート定着域（ＶＯ）が、前記下部コンクリート定着域（ＶＵ）よりも前記支持体の鉛直軸線（Ａ）の近くに位置するように、前記支持体に最も近い前記斜め支柱（Ｓ１）が、前記支持体に向かって且つ前記下弦材（Ｕ）に対して、前記下弦材（Ｕ）から９０°未満の急な角度（α１）で傾斜し、前記支持体から遠い位置にある次の斜め支柱（Ｓ２）が、前記支持体に向かって、前記急な角度（α１）よりも少なくとも１０°なだらかで且つ４５°以上９０°未満の角度（α２）で傾斜することを特徴とする、点支持されたコンクリート天井（ＢＤ）。
【請求項２】
前記上部コンクリート定着域（ＶＯ）は、支持体側面（３）の鉛直投影線で終端するか、または、前記支持体側面の前記鉛直投影線を越えるように前記支持体の前記鉛直軸線（Ａ）の方向に向かって延在し、
前記支持体に最も近い同じ前記斜め支柱（Ｓ１）の前記下部コンクリート定着域（ＶＵ）は、前記支持体側面の前記鉛直投影線から後退した位置にあることを特徴とする、請求項１に記載の点支持されたコンクリート天井（ＢＤ）。
【請求項３】
前記下部コンクリート定着域（ＶＵ）は、支持体側面（３）の鉛直投影線と距離を置いて終端することを特徴とする、請求項１に記載の点支持されたコンクリート天井（ＢＤ）。
【請求項４】
前記ラチス梁（１）の長手方向において前記支持体に最も近い前記斜め支柱（Ｓ１）の前記下部コンクリート定着域（ＶＵ）を越える前記上部コンクリート定着域（ＶＯ）の張り出し距離（ＵＶ）が、支持体側面（３）の鉛直投影線から前記下部コンクリート定着域（ＶＵ）までの距離に一致することを特徴とする、請求項１〜３のいずれか一項に記載の点支持されたコンクリート天井（ＢＤ）。
【請求項５】
前記ラチス梁（１）に一致するように組み込まれた２つの斜め支柱（Ｓ１，Ｓ２）が、前記ラチス梁（１）の長さに沿って規則的に分配され、かつ交互に前記急な角度（α１）およびなだらかな角度（α２）で傾斜することを特徴とする、請求項１〜４のいずれか一項に記載の点支持されたコンクリート天井（ＢＤ）。
【請求項６】
前記上部及び下部コンクリート定着域（ＶＯ、ＶＵ）のそれぞれは、前記屈曲部分（１１、１２）、前記弦材（Ｕ、Ｏ）、及び前記定着要素（１０）のうちの一つによって形成されていることを特徴とする、請求項１〜５のいずれか一項に記載の点支持されたコンクリート天井（ＢＤ）。
【請求項７】
前記斜め支柱（Ｓ１、Ｓ２）間の前記屈曲部分（１１、１２）は、前記固定点（ＳＵ、ＳＯ）にある溶接箇所で固定されることを特徴とする、請求項１に記載の点支持されたコンクリート天井（ＢＤ）。
【請求項８】
前記急な角度（α１）が７０°〜８５°であり、前記角度（α２）が４５°〜７５°であることを特徴とする、請求項１に記載の点支持されたコンクリート天井（ＢＤ）。
【請求項９】
前記蛇行する斜め支柱部（Ｄ）および／または前記弦材（Ｕ、Ｏ）の表面はリブ構造（９、８）を有することを特徴とする、請求項１〜８のいずれか一項に記載の点支持されたコンクリート天井（ＢＤ）。
【請求項１０】
前記弦材（Ｏ、Ｕ）の直径（ｄ１）が、前記蛇行する斜め支柱部（Ｄ）の直径（ｄ２）よりも大きいことを特徴とする、請求項１〜９のいずれか一項に記載の点支持されたコンクリート天井（ＢＤ）。
【請求項１１】
前記ラチス梁（１）の前記長手方向において前記下部コンクリート定着域（ＶＵ）を越える前記上部コンクリート定着域（ＶＯ）の張り出し距離（ＵＶ）は、支持体側面（３）の鉛直投影線から前記下部コンクリート定着域（ＶＵ）までの距離に、前記支持体（Ｔ）内の補強（５、５ａ、５ｂ）のコンクリートかぶり（７）であって、当該コンクリートかぶり（７）の外面が前記支持体の外面を規定する、コンクリートかぶり（７）の少なくとも一部分の厚さを加えたものに相当することを特徴とする、請求項１〜１０のいずれか一項に記載の点支持されたコンクリート天井（ＢＤ）。
【請求項１２】
前記点支持されたコンクリート天井（ＢＤ）は、コンクリート仕上げ層を備えた既製コンクリートスラブ（６）と、コンクリートスラブ（６）にコンクリートで固定された前記ラチス梁（１）と、を備えることを特徴とする、請求項１〜１１のいずれか一項に記載の点支持されたコンクリート天井（ＢＤ）。
【請求項１３】
前記上部コンクリート定着域（ＶＯ）の張り出し距離（ＵＶ）は、支持体側面（３）の鉛直投影線から前記コンクリートスラブ（６）の縁部（４）までの距離に相当することを特徴とする、請求項１２に記載の点支持されたコンクリート天井（ＢＤ）。
【請求項１４】
前記上部コンクリート定着域（ＶＯ）の張り出し距離（ＵＶ）は、最大で、支持体側面（３）近くで前記支持体内に設けられた補強（５、５ａ、５ｂ）から前記コンクリートスラブ（６）の縁部（４）までの距離に相当することを特徴とする、請求項１２に記載の点支持されたコンクリート天井（ＢＤ）。
【請求項１５】
前記上部コンクリート定着域（ＶＯ）の張り出し距離（ＵＶ）は、最大で、隣接する２つのコンクリートスラブ（６）間の隙間の幅の半分に相当することを特徴とする、請求項１２に記載の点支持されたコンクリート天井（ＢＤ）。
【請求項１６】
少なくとも１つの連続した上弦材（Ｏ）を含む前記ラチス梁（１）において、前記上部屈曲部分（１１）は、前記上弦材（Ｏ）を越えて突出するループを形成するか、または前記上弦材（Ｏ）の上側面と面一である端部を形成することを特徴とする、請求項１〜１５のいずれか一項に記載の点支持されたコンクリート天井（ＢＤ）。
【請求項１７】
前記定着要素（１０）は、予め製造された成形部品、または、両端部で前記ラチス梁（１）の前記長手方向に前記上部屈曲部分（１１）を越えて突出する弦材片であることを特徴とする、請求項１に記載の点支持されたコンクリート天井（ＢＤ）。
【発明の詳細な説明】
【技術分野】
【０００１】
本発明は、請求項１の前文に記載の点支持要素または平坦なコンクリート天井に関する。
【背景技術】
【０００２】
欧州特許第１０７０８００号明細書で知られる点支持要素または平坦なコンクリート天井の場合には、横力／押し抜きせん断補強の各ラチス梁において、斜め支柱間の上部屈曲部分および／または下部屈曲部分は、同じく効率的に作用するコンクリート定着（ａｎｃｈｏｒｉｎｇ）域を天井に形成するために、連続した上弦材および／または連続した下弦材を越えて突出する。蛇行する斜め支柱部は、支持体に向かって延びるラチス梁の端部領域において、支持体に最も近い斜め支柱が鉛直支持体軸線から等距離を隔てて配置された上部コンクリート定着域と下部コンクリート定着域とを作り出すように、規則的に折り曲げられ、いずれの場合にも、弦材に対して９０°に向けられた斜め支柱と、更に、弦材に対して４５°だけ傾斜した斜め支柱とを有する。
【０００３】
要素または平坦なコンクリート天井の横力／押し抜きせん断補強についての欧州特許第２０５０８８７号明細書で知られるラチス梁には、連続した上弦材が欠けている。その一方で、自由な中間空間を挟んでラチス梁の長手方向に前後して位置するとともに、蛇行する斜め支柱部の上部屈曲部分が固定される定着要素が設けられている。一実施形態（図２ｃ）では、上部コンクリート定着域が同じ斜め支柱の非常に大きな量（ラチス梁の高さにほぼ相当する）の下部コンクリート定着域に対してラチス梁の長手方向に相当量ずらされるように、２つの隣り合う斜め支柱が、同じ方向に傾斜しかつ下弦材に対して約４５°で互いに実質的に平行であるものとして示されている。
【０００４】
独国特許出願公開第１０２００７０４７６１６号明細書は、２つの下弦材、連続した上弦材および蛇行する斜め支柱部を備えたラチス梁を開示しており、このラチス梁では、いずれの場合にも、弦材に対して９０°傾斜した斜め支柱が４５°傾斜した斜め支柱の後に続く。９０°傾斜した斜め支柱の固定点の領域に形成されたコンクリート定着域は、ラチス梁の長手方向にずらされることなく重なり合う。
【０００５】
独国の一般的な建築許可によれば、ラチス梁を押し抜きせん断補強（Erhoehungsfaktore gegen Durchstanzen）として使用する場合、増加係数は、例えば、スラブに対するまたはラチス梁の種類に応じた押し抜きせん断補強に対する１．２５（許可Ｚ−１５．１−３８）、１．６（許可Ｚ−１５．１−２８９）および１．７（許可Ｚ−１５．１−２１７）から得られる。これらの許可は、天井部分における部材試験に基づいている。確認された増加係数は、二重頭ボルトなどの他の既知の従来の補強システムの増加係数よりも低い。
【０００６】
押し抜きせん断補強としてのラチス梁に関する試験は、Ｅｌｉｇｅｈａｕｓｅｎら（Ｂｅｔｏｎ−  ｕｎｄ  Ｓｔａｈｌｂｅｔｏｎｂａｕ  ９８  ［コンクリートおよび強化コンクリート構造体  ９８］，（２００３），Ｉｓｓｕｅ  ６）で知られている。これらの試験では、支持体縁部から始まり支持体から離れる方向に向う激しい破壊亀裂がコンクリートスラブ内で生じ、ラチス梁の支持体に近い鉛直筋が上部領域でのみ交わるか、またはラチス梁の上方を通過していた。ラチス梁の下弦材の領域におけるコンクリート圧力域は、それにより深刻な損傷を受けた。この損傷により、押し抜きせん断補強の効果が大幅に制限された。
【０００７】
欧州特許第２０５０８８７号明細書に記載のラチス梁に関しては、欧州特許第１０７０８００号明細書に記載のラチス梁よりも良好な補強効果および高い増加係数をコンクリートスラブの押し抜きせん断に対して達成することができる。しかしながら、現在の建築構造物では、コンクリートスラブの押し抜きせん断に対する補強効果および達成可能な増加係数に関する要求がより一層高くなる可能性があり、これらの既知のラチス梁ではこの要求を満たすことができない。
【発明の概要】
【発明が解決しようとする課題】
【０００８】
本発明の課題は、より一層良好な補強効果および高い押し抜きせん断増加係数を有する点支持要素または平坦なコンクリート天井を提供することである。
【課題を解決するための手段】
【０００９】
本発明が取り組む課題は、請求項１の特徴により達成される。
【００１０】
同じ方向に上向きに支持体の鉛直軸線に向かう特定の異なる傾斜により、２つの連続する斜め支柱のいずれの場合にも、少なくとも支持体に最も近い斜め支柱は、少なくとも１０°だけなだらかとなっている４５°以上の角度を有し、支持体から遠い支柱よりも、下弦材に対して９０°未満のより急な角度で延びる。同じ方向に上向きに支持体に向かう傾斜により、少なくとも支持体に最も近い斜め支柱の場合には、張り出しが各上部固定点からラチス梁の高さよりも低い下部固定点を越えてラチス梁の長手方向に生じる。こうした特徴の組合せは、特に、例えば支持体側面の鉛直投影面から天井内に延びる天井の亀裂が蛇行する支柱部と交わってその伝播が防止される利点をもたらす。下弦材の領域におけるコンクリート圧力域が損傷を受けない。概して、新たなラチス梁の形状および支持体に対するラチス梁の配置により、驚くほど補強効果が改善する結果となり、かかるラチス梁ではこれまでと比べて、コンクリートスラブの押し抜きせん断に対するより高い増加係数を達成できる。この結果は、例えば欧州特許第１０７０８００号明細書または欧州特許第２０５０８８７号明細書に記載のラチス梁と比較して実地試験により既に確認されているが、改善の正確な理由は不明であった。
【００１１】
この構成は、少なくとも支持体に最も近い斜め支柱およびそれに続く斜め支柱の特定の角度により達成されるだけでなく、この構成を、長手方向における異なる箇所での既製ラチス梁の特定の切断により任意選択的に提供するか、またはこれらの構造的手段の組合せによりもたらすことができる。この構成は、蛇行する斜め支柱部（複数可）の上部屈曲部分が固定される（例えば、溶接される）、少なくとも１つの連続した上弦材または前後に位置しかつ自由な中間空間で隔てられた定着要素を備えたラチス梁に適用される。
【００１２】
上部コンクリート定着域が、支持体側面の鉛直投影面でほぼ終端するか、または支持体の鉛直軸線に向かって鉛直投影面を僅かに越えるようにずらされ、その一方で、支持体に最も近い同じ斜め支柱の下部コンクリート定着域が支持体側面の鉛直投影面の手前で留まる場合に、横断面が四角形、多角形または円形の支持体については特に良好な結果がもたらされた。
【００１３】
また、下部コンクリート定着域が支持体側面の鉛直投影面から僅か約２．０ｃｍの距離を維持する場合、および／または下部コンクリート定着域を越える上部コンクリート定着域の張り出しが、支持体側面の鉛直投影面から下部コンクリート定着域までの距離に少なくともほぼ相当する場合に、非常に有望な結果が得られた。
【００１４】
少なくとも支持体に最も近い斜め支柱の傾斜のより急な角度が下弦材に対して約７０°〜８５°となる必要があり、その一方で、少なくとも支持体から離れる方向にある隣の斜め支柱の傾斜がよりなだらかな角度として４５°〜７５°となる必要がある。支持体に最も近い斜め支柱の角度が急であればあるほど、支持体から遠い位置にある斜め支柱の角度も急になるが、どのような場合であっても、そのより急な角度よりも約１０°だけなだらかなものとされている。
【００１５】
斜め支柱の表面および／または弦材の表面にリブが形成される場合には、更に、改善された補強効果および特定の高い増加係数を達成することができる。これにより、コンクリートとのより一層良好な係合がもたらされる。
【００１６】
加えて、下弦材の場合には、コンクリート圧力域内での損傷を防止するために、少なくとも下弦材の直径が蛇行する斜め支柱部の直径よりも大きいことが特に重要である。下弦材の直径は、少なくとも１０ｍｍとなる必要があり、その場合、斜め支柱は、例えば、直径が約９ｍｍである。
【００１７】
支持体内に補強を備えた好適な実施形態において、支持体に最も近い斜め支柱の下部コンクリート定着域を越える上部コンクリート定着域の張り出しは、支持体内の補強のコンクリートかぶり部分の大きさに少なくとも相当する大きさを加えた、支持体側面の鉛直投影面から下部コンクリート定着域までの距離に少なくともほぼ相当する必要がある。
【００１８】
好適な実施形態において、要素または平坦なコンクリート天井は、コンクリート仕上げ層を備えた既製コンクリートスラブで作製され、当該のラチス梁は、コンクリートスラブにコンクリートで固められる。この場合、支持体に最も近い斜め支柱の上部コンクリート定着域の張り出しは、比較的正確に支持体側面の鉛直投影面からコンクリートスラブの縁部までの距離に相当し、および／または、最大で支持体の縁部に近い補強からコンクリートスラブの縁部までの距離に相当する必要がある。
【００１９】
コンクリートスラブ間に目地がある実施形態では、張り出しは、最大で２つの隣り合うコンクリートスラブ間の目地幅の約半分に相当する必要がある。
【００２０】
定着要素を備えた実施形態において、これら定着要素は、既製の成形部品または弦材片である必要があり、これらは、両端部でラチス梁の長手方向に上部屈曲部分を越えて突出し、ひいては、それぞれの上部コンクリート定着域を作り出すことに寄与する。
【００２１】
更に、好適な実施形態は従属請求項に含まれている。
【００２２】
本発明の主題について図面を参照しながら以下に説明する。
【図面の簡単な説明】
【００２３】
【図１】端部領域におけるラチス梁の側面図である。
【図２】図１の鉛直断面を示す図である。
【図３】ラチス梁の端部分の別の実施形態を示す図である。
【図４】図３の鉛直断面を示す図である。
【図５】図１および図２による少なくとも１つのラチス梁を備えた、点支持体および横力／押し抜きせん断補強を備えた要素または平坦なコンクリート天井の側面図である。
【図６】図５の平面図である。
【図７】点支持体を備えたコンクリート天井の更なる実施形態を示す側面図である。
【図８】図７の平面図である。
【図９】点支持体を備えたコンクリート天井の更なる実施形態を示す側面図である。
【図１０】図９の平面図である。
【図１１】連続した上弦材を備えないが、代わりに、長手方向に前後して位置しかつ自由な中間空間で隔てられた蛇行する支柱部の上部屈曲部分に対する定着要素を備えた、ラチス梁の更なる実施形態の端部分の側面図である。
【図１２】図１１の平面図である。
【発明を実施するための形態】
【００２４】
図１および図２は、要素または平坦なコンクリート天井ＢＤ（図５）における横力／押し抜きせん断補強の一部として埋設できるラチス梁を側面図および鉛直断面で示している。ラチス梁１は、２つの真っすぐで連続した平行な下弦材Ｕと、２つの蛇行する斜め支柱部Ｄ（代替的に、図示しないが、１つだけの蛇行する斜め支柱部）と、真っすぐで連続した上弦材Ｏとを備える。ラチス梁１の横断面は、例えば三角形である。側面図では任意選択的に同じ場所に位置し得る複数の蛇行する斜め支柱Ｄは、例えば、上部および下部固定点（溶接点）ＳＵ、ＳＯにおいて、下弦材Ｕに内側底部で固定され、かつ上弦材Ｏに外側最上部で固定される。各蛇行する斜め支柱部Ｄは、例えば、各々上部屈曲部分１１と下部屈曲部分１２により互いに連結されるほぼ同様の斜め支柱Ｓ１、Ｓ２が生じ、図１の右側に示すように、異なる角度で同じ方向に上向きにかつラチス梁１の一端部に向かって傾斜するように、規則的に折り曲げられる。この端部領域は、斜め支柱Ｓ１、Ｓ２が同じ方向に上向きにかつ支持体の鉛直軸線Ａに向かって傾斜するようにして、コンクリート天井ＢＤ（図５）において、天井の点支持の支持体Ｔと関連付けられる。
【００２５】
（ラチス梁１は図示の端部領域が支持体に向かって延びると仮定して）少なくとも支持体に最も近い斜め支柱Ｓ１は、下弦材Ｕおよび上弦材Ｏに対して、９０°よりも小さくかつ約７０°〜８５°となる角度α１で支持体Ｔに向かって傾斜する。それに対して、支持体から離れる方向にある隣の斜め支柱Ｓ２は、同じ方向に上向きに支持体Ｔに向かって傾斜するが、弦材Ｏ、Ｕに対して約４５°〜７５°であるなだらかな角度α２で傾斜し、いかなる場合であっても、より急な角度α１よりも少なくとも１０°だけなだらかとなる。斜め支柱Ｓ１、Ｓ２間の上部屈曲部分１１は、上弦材Ｏを大幅に越えて上向きに突出し、その一方で、下部屈曲部分１２は、下弦材Ｕで終端するかまたは下弦材Ｕを僅かに越えて下向きに突出する（図示せず）。「同じ方向において」とは、ここでは、角度α１、α２が９０°未満かつ４５°以上であるが互いに異なっている（つまり、２つの斜め支柱Ｓ１、Ｓ２が上向きにかつ同じラチス梁の端部に向かって傾斜している）ことを意味するように意図されている。
【００２６】
蛇行する斜め支柱部Ｄおよび／または弦材Ｕ、Ｏの表面は、コンクリート中でのより一層良好な定着のために、それぞれリブ構造９または８を更に備えてもよい。端部領域において、例えば、上弦材Ｏの端部片１４は固定点ＳＯを越えて突出し、その一方で、下弦材Ｕは、例えば、下部固定点ＳＵの直後で切断される（または任意選択的に連続する（図示せず））。
【００２７】
このように、上部および下部コンクリート定着域ＶＯ、ＶＵは、屈曲部分のみで形成されるか、または定着要素１０（図１１および図１２）もしくは突出する弦材片１４、１３および固定点ＳＯ、ＳＵ（溶接点）で形成される。
【００２８】
支持体に最も近い斜め支柱Ｓ１の場合、コンクリート天井ＢＤにおいて、特に、同じ方向に上向きにかつ斜め支柱Ｓ１、Ｓ２の支持体Ｔに向かって傾斜することと、支持体に最も近い斜め支柱Ｓ１のより急な角度α１とにより、上部コンクリート定着域ＶＯは、図１の下部コンクリート定着域ＶＵを越えてラチス梁１の長手方向に張り出してＵＶ分だけ突出する。また、支持体に最も近い斜め支柱Ｓ１については、例えば、（理論的仮定として）いずれの場合にも、それぞれの弦材Ｏ、Ｕに対する斜め支柱Ｓ１の固定点ＳＯ、ＳＵがそれぞれ上部コンクリート定着域ＶＯおよび下部コンクリート定着域ＶＵと見なされる場合、上弦材Ｏ上の固定点ＳＯと下弦材Ｕ上の固定点ＳＵとの間の距離が張り出しＵＶとなる。
【００２９】
図１のラチス梁では、Ｓ１、Ｓ２とα１、α２での斜め支柱の組合せが、ラチス梁の長手方向に少なくとももう一度、好ましくはラチス梁全長にわたって規則的に繰り返される。
【００３０】
弦材Ｕ、Ｏおよび蛇行する斜め支柱部Ｄの直径には、符号ｄ１およびｄ２が付されている。原則的に、直径ｄ１を直径ｄ２よりも大きくする必要があり、その場合、好ましくは、下弦材Ｕの直径ｄ１は少なくとも１０ｍｍとなる必要があり、蛇行する斜め支柱部Ｄの直径は約９ｍｍとなる必要がある。
【００３１】
図３および図４のラチス梁１の実施形態では、上で説明したように、斜め支柱Ｓ１、Ｓ２に対して実質的に同じ角度α１、α２が設けられる。しかしながら、ここでは、蛇行する斜め支柱部Ｄの上部屈曲部分１１は、上弦材Ｏの最上部と実質的に面一に終端する。
【００３２】
図５および図６は、ラチス梁１と支持体Ｔとの関連でコンクリート天井ＢＤ（要素または平坦な天井）の横力／押し抜きせん断補強Ｂの一部としてのラチス梁１を示している。ラチス梁１が１つだけ示されているが、コンクリート天井ＢＤにおける複数のラチス梁１を支持体Ｔと関連付けることができる。図示の実施形態において、支持体Ｔは、側面３と鉛直軸線Ａとを備えた正方形横断面を有するが、矩形横断面または多角形横断面または円形横断面を有するとともに、補強（図９および図１０）を備える（図示せず）こともできる。同様のラチス梁１は、平行に配設され、別の支持体縁部３側にこの縁部３に平行に設置されて、支持体Ｔの領域内までまたはこの領域を越えて延びることもできる。図６において、ラチス梁１は、支持体側面３の鉛直投影面に対して垂直にかつ実質的に支持体の鉛直軸線Ａに向かって延びる。支持体側面３の鉛直投影面から上部コンクリート定着域ＶＯまでの距離ＡＳは、支持体側面３の鉛直投影面から支持体に最も近い斜め支柱Ｓ１の下部コンクリート定着域ＶＵまでの距離よりも短い。図６には、離間距離ＡＳが表されている。
【００３３】
図７および図８は、コンクリート天井ＢＤの好ましい実施形態を示している。ここでは、上部コンクリート定着域ＶＯは、支持体側面３の鉛直投影面で比較的正確に終端する。したがって、距離ＡＳは、実質的にゼロに等しい。支持体側面３の鉛直投影面から下部コンクリート定着域ＶＵまでの距離は、例えば図１および図３の張り出しＵＶに相当する。
【００３４】
図７において、破線４は、支持体に最も近い斜め支柱Ｓ１の下部コンクリート定着域ＶＵがコンクリートスラブ６の内側に位置するように、ラチス梁１がコンクリートで固められている既製コンクリートスラブ６の外縁部を表している。この場合、張り出しＵＶは、コンクリートスラブ６の縁部４と支持体側面３の鉛直投影面との間の距離に相当し得る。図７の下部コンクリート定着域ＶＵの配置は、好ましくは、押し抜きせん断補強Ｂの下部がコンクリートで既に固められており、かつ支持体Ｔの側面３の鉛直投影面から所定の距離（縁部４を参照）で設置される、既製の薄い鉄筋コンクリートスラブ６を備えた鉄筋コンクリート天井の実施形態にも当てはまる。コンクリートスラブ６が支持体Ｔ上に配置されるかまたは構造全体が既製のコンクリートスラブなしに作製される場合、ラチス梁１の下弦材Ｕもまた、下部コンクリート定着域ＶＵを越えて支持体側面３の鉛直投影面まで、または更には支持体Ｔを越えて連続し得る。
【００３５】
図９および図１０は、ラチス梁１の支持体に最も近い斜め支柱Ｓ１の上部コンクリート定着域ＶＯが支持体Ｔの上方（すなわち、支持体側面３の鉛直投影面の内側）にある更なる実施形態を示している。したがって、支持体側面３の鉛直投影面から上部コンクリート定着域ＶＯまでの距離ＡＳが負である。
【００３６】
図９および図１０は、支持体Ｔのための補強５を示している。この補強５、すなわち縦筋５ａおよび／または表示のあばら筋５ｂは、支持体側面３からの所定の距離、すなわち「コンクリートかぶり」７を有する。図９および図１０において、支持体に最も近い斜め支柱Ｓ１の上部コンクリート定着域ＶＯは、コンクリートかぶり７の大きさの分だけ比較的正確に、支持体の鉛直軸線Ａに向かって支持体側面の鉛直投影面を越えてかつ支持体Ｔを越えて延びる。この図示の張り出しを好ましい実施形態の最大値とすることができ、つまり、上部コンクリート定着域ＶＯはコンクリートかぶり７の鉛直投影面の内側に位置決めされる必要がある。
【００３７】
従来よく行われてきたように、複数のコンクリートスラブ６がそれらの縁部４間の目地とともに設置される場合には、斜め支柱Ｓ１の上部コンクリート定着域ＶＯがコンクリートスラブの２つの対向する縁部を越えて突出し、これらのコンクリート定着域が衝突する可能性がある。それゆえ、この場合には、張り出しＵＶが目地幅の約半分に制限される必要がある。目地幅は、４ｃｍとなる場合が多いが、他の目地幅も可能である。そして、目地幅が４ｃｍである場合の張り出しは、約２．０ｃｍとなる必要がある。
【００３８】
押し抜きせん断補強Ｂにおいて、ラチス梁の実施形態は、コンクリートスラブのコンクリート圧力域を効率的に補強し、ひいては早期破壊を防止する。使用する補強部材の公称降伏点は、好ましくは５００Ｎ／ｍｍ２となる場合がある。更に、材料特性は、従来の補強筋の材料特性に相当する。しかしながら、他のより良好な材料特性を備えた補強筋を使用することもできる。例えば、更なるラチス梁が支持体縁部にまたは支持体側面３の鉛直投影面に平行に配設される場合、他の補強要素を備えた新たなラチス梁と、荷重伝達面または荷重伝達支持体に関して別の配置を伴う同じラチス梁との組合せが可能である。
【００３９】
図１１および図１２のラチス梁１の実施形態は、連続した上弦材ではなく、むしろ連続した上弦材の代わりに、自由な中間空間Ｚを挟んで長手方向に前後して位置する定着要素１０を備え、この定着要素は成形部品または弦材部分の形をとり、この定着要素には、いずれの場合にも、２つの斜め支柱Ｓ１、Ｓ２の上部屈曲部分１１が強固に溶接される（固定点ＳＵ）、または別の方法で固定される（例えば、掛止される）。各定着要素１０は、支持体に最も近い斜め支柱Ｓ１の例えば溶接点ＳＯの領域に形成された上部コンクリート定着域ＶＯが各下弦材Ｕにおける下部コンクリート定着域ＶＵに対する張り出しＵＶを有するように、ラチス梁１の長手方向に屈曲部分１１を越えて突出する。図１１および図１２のラチス梁１を、点支持体の支持体Ｔとの関連でコンクリート天井ＢＤの先の実施形態におけるラチス梁のように設置することができる。
【図１】
0005943332.tif 000002
【図２】
0005943332.tif 000003
【図３】
0005943332.tif 000004
【図４】
0005943332.tif 000005
【図５】
0005943332.tif 000006
【図６】
0005943332.tif 000007
【図７】
0005943332.tif 000008
【図８】
0005943332.tif 000009
【図９】
0005943332.tif 000010
【図１０】
0005943332.tif 000011
【図１１】
0005943332.tif 000012
【図１２】
0005943332.tif 000013